(57)【要約】      （修正有）【課題】複数に分かれた予約を好適に管理するための順番管理システムを提供する。【解決手段】順番管理システム１は、順番待ち予約の受付に際し、ユーザから予約情報を登録する為の予約入力を受け付け、予約入力に基づいて予約情報を登録する受付手段と、ユーザの入力に基づいて、第一の予約入力の受け付け又は第一の予約情報の登録後に連続して、第二以降の予約情報を登録する為の第二以降の予約入力を受け付ける連続受付を受付手段に行わせる連続受付手段と、順番待ち予約ごとに順番待ちの待ち時間を設定する算出手段と、を備える。算出手段は、第一の予約情報及び第二以降の予約情報を含む予約情報の組において、最後の順番待ち予約に対応した予約情報の待ち時間に基づいて、組に含まれる予約情報の待ち時間を設定する。【選択図】図１
2019114207.tif 000002
【特許請求の範囲】
【請求項１】
施設における順番待ちを管理する為の順番管理システムであって、
順番待ち予約の受付に際し、ユーザから予約情報を登録する為の予約入力を受け付け、前記予約入力に基づいて予約情報を登録する受付手段と、
前記ユーザの入力に基づいて、第一の予約入力の受け付け又は第一の予約情報の登録後に連続して、第二以降の予約情報を登録する為の第二以降の予約入力を受け付ける連続受付を前記受付手段に行わせる連続受付手段と、
前記順番待ち予約ごとに順番待ちの待ち時間を設定する算出手段と、を備え、
前記算出手段は、前記第一の予約情報及び第二以降の予約情報を含む予約情報の組において、最後の順番待ち予約に対応した予約情報の待ち時間に基づいて、前記組に含まれる予約情報の待ち時間を設定することを特徴とする、順番管理システム。
【請求項２】
前記受付手段は、前記予約入力として、共通質問を含む１又は複数の質問に対する回答を受け付け、
前記第二以降の予約入力における前記共通質問に対する回答は、前記第一の予約入力と当該予約入力との間の予約入力のうちの何れかにおける、前記共通質問に対する回答に基づいて設定されることを特徴とする、請求項１に記載の順番管理システム。
【請求項３】
前記受付手段は、前記連続受付の際に、前記予約入力ごとの人数の配分の指定を受け付けることを特徴とする、請求項１又は請求項２に記載の順番管理システム。
【請求項４】
前記予約情報を管理する変更手段を更に備え、
前記組に含まれる予約情報の何れかに対する前記変更手段を介した操作の一部又は全部は、前記組に含まれる予約情報のそれぞれに反映されることを特徴とする、請求項１〜３の何れかに記載の順番管理システム。
【請求項５】
前記連続受付によって連続して受け付けられる順番待ち予約の数の上限として連続上限を設定する連続上限設定手段を更に備えることを特徴とする、請求項１〜４の何れかに記載の順番管理システム。
【請求項６】
前記連続上限設定手段は、前記施設の利用情報に基づいて、前記連続上限を設定することを特徴とする、請求項５に記載の順番管理システム。
【請求項７】
前記予約情報は、前記ユーザの案内を行うための案内番号を含み、
前記受付手段は、同一の前記組に含まれる予約情報に対し、同一の案内番号を付与することを特徴とする、請求項１〜６の何れかに記載の順番管理システム。
【請求項８】
施設における順番待ちを管理する為の予約方法であって、
順番待ち予約の受付に際し、ユーザから予約情報を登録する為の予約入力を受け付け、前記予約入力に基づいて予約情報を登録する受付ステップと、
前記ユーザの入力に基づいて、第一の予約入力の受け付け又は第一の予約情報の登録後に連続して、第二以降の予約情報を登録する為の第二以降の予約入力を受け付ける連続受付を行う連続受付ステップと、
前記順番待ち予約ごとに順番待ちの待ち時間を設定する設定ステップと、を備え、
前記設定ステップにおいて、前記第一の予約情報及び第二以降の予約情報を含む予約情報の組において、最後の順番待ち予約に対応した予約情報の待ち時間に基づいて、前記組に含まれる予約情報の待ち時間を設定することを特徴とする、予約方法。
【請求項９】
施設における順番待ちを管理する為の順番管理プログラムであって、
コンピュータを、順番待ち予約の受付に際し、ユーザから予約情報を登録する為の予約入力を受け付け、前記予約入力に基づいて予約情報を登録する受付手段と、
前記ユーザの入力に基づいて、第一の予約入力の受け付け又は第一の予約情報の登録後に連続して、第二以降の予約情報を登録する為の第二以降の予約入力を受け付ける連続受付を前記受付手段に行わせる連続受付手段と、
前記順番待ち予約ごとに順番待ちの待ち時間を設定する算出手段と、として機能させ、
前記算出手段は、前記第一の予約情報及び第二以降の予約情報を含む予約情報の組において、最後の順番待ち予約に対応した予約情報の待ち時間に基づいて、前記組に含まれる予約情報の待ち時間を設定することを特徴とする、順番管理プログラム。
【発明の詳細な説明】
【技術分野】
【０００１】
本発明は、施設等において、利用者の順番待ちを管理する為の順番管理システム、予約方法及び順番管理プログラムに関する。
【背景技術】
【０００２】
従来から、飲食店、携帯電話ショップ等の窓口業務を行う店舗、理容所・美容院、病院等の施設において、サービス提供までのユーザの順番待ち予約や、時間指定を伴った予約を管理する為の技術が提供されている。
【０００３】
例えば、施設における順番待ちを、複数の順番待ち組を含む順番待ちブロックの単位で管理し、複数の組をブロック単位で案内することができる順番管理システムに関する技術が知られている。
【先行技術文献】
【特許文献】
【０００４】
【特許文献１】特開２０１７−１３８６５７号公報
【発明の概要】
【発明が解決しようとする課題】
【０００５】
例えば、ひとつのテーブルの許容人数を超える大人数で飲食店を利用する場合、複数のテーブルに分かれて利用するために、複数に分けて予約を行う必要があった。また、例えば、家族で美容院を利用する場合には、各個人ごとに予約を行う必要があった。
【０００６】
このような、複数に分かれた同一団体による予約をまとめて管理したい要望があった。これに対し、特許文献１に記載の技術は、人数やグループ数に応じて、複数の順番待ち組を含むブロックの単位で順番待ちを管理するものであり、同一の団体による複数の予約をまとめて管理することはできなかった。
【０００７】
本発明は、上記のような実情に鑑みてなされたものであり、複数に分かれた予約を好適に管理するための順番管理システムを提供することを解決すべき課題とする。
【課題を解決するための手段】
【０００８】
上記課題を解決するために、本発明は、施設における順番待ちを管理する為の順番管理システムであって、
順番待ち予約の受付に際し、ユーザから予約情報を登録する為の予約入力を受け付け、前記予約入力に基づいて予約情報を登録する受付手段と、
前記ユーザの入力に基づいて、第一の予約入力の受け付け又は第一の予約情報の登録後に連続して、第二以降の予約情報を登録する為の第二以降の予約入力を受け付ける連続受付を前記受付手段に行わせる連続受付手段と、
前記順番待ち予約ごとに順番待ちの待ち時間を設定する算出手段と、を備え、
前記算出手段は、前記第一の予約情報及び第二以降の予約情報を含む予約情報の組において、最後の順番待ち予約に対応した予約情報の待ち時間に基づいて、前記組に含まれる予約情報の待ち時間を設定することを特徴とする。
【０００９】
このような構成とすることで、複数の予約についての入力を連続して受け付けることができる。また、複数に分かれた同一団体の予約（予約情報の組）について、同一の待ち時間が設定される。これにより、同一団体の予約の待ち時間を一括して案内することができる。
【００１０】
本発明の好ましい形態では、前記受付手段は、前記予約入力として、共通質問を含む１又は複数の質問に対する回答を受け付け、
前記第二以降の予約入力における前記共通質問に対する回答は、前記第一の予約入力と当該予約入力との間の予約入力のうちの何れかにおける、前記共通質問に対する回答に基づいて設定されることを特徴とする。
このような構成とすることで、連続して複数の予約を行う場合に、ユーザは答えが共通するような質問についてその都度入力する必要がなくなり、予約のための操作が簡便になる。
【００１１】
本発明の好ましい形態では、前記受付手段は、前記連続受付の際に、前記予約入力ごとの人数の配分の指定を受け付けることを特徴とする。
このような構成とすることで、複数に分かれた予約の人数の配分を、ユーザの入力によって決定することができ、ユーザの希望を反映した予約を受け付けることができる。
【００１２】
本発明の好ましい形態では、前記予約情報を管理する変更手段を更に備え、
前記組に含まれる予約情報の何れかに対して、前記変更手段を介して行われた操作の一部又は全部は、前記組に含まれる予約情報のそれぞれに反映されることを特徴とする。
このような構成とすることで、組になった予約情報をまとめて管理することができる。例えば、組になった予約情報について予約のキャンセル等を行う際に、一度の操作で組になった予約情報のそれぞれについてキャンセルを行うことができる。
【００１３】
本発明の好ましい形態では、前記連続受付によって連続して受け付けられる順番待ち予約の数の上限として連続上限を設定する連続上限設定手段を更に備えることを特徴とする。
このような構成とすることで、連続して受け付けられる順番待ち予約の数を制限することができ、実際には同時に案内することが難しい数の予約を連続して受け付けることを避けることができる。例えば、店舗に全部で６つの座席しかない場合に、連続して８つの予約を受け付けても、同時に案内することができない。また、例えば８人グループを８つの予約に分けて入力する等、ユーザが必要以上にグループを分割すると、店舗の座席が少人数で埋まってしまい、店舗の営業の効率が低下する可能性がある。連続上限を設定できるようにすることにより、このような不都合を避けることができる。
【００１４】
本発明の好ましい形態では、前記連続上限設定手段は、前記施設の利用情報に基づいて、前記連続上限を設定することを特徴とする。
このような構成とすることで、施設の利用状況に応じて柔軟に連続上限を設定することができる。
【００１５】
本発明の好ましい形態では、前記予約情報は、前記ユーザの案内を行うための案内番号を含み、
前記受付手段は、同一の前記組に含まれる予約情報に対し、同一の案内番号を付与することを特徴とする。
このような構成とすることで、連続受付により複数の予約を行った団体客をまとめて案内できる。
【００１６】
本発明は、施設における順番待ちを管理する為の予約方法であって、
順番待ち予約の受付に際し、ユーザから予約情報を登録する為の予約入力を受け付け、前記予約入力に基づいて予約情報を登録する受付ステップと、
前記ユーザの入力に基づいて、第一の予約入力の受け付け又は第一の予約情報の登録後に連続して、第二以降の予約情報を登録する為の第二以降の予約入力を受け付ける連続受付を行う連続受付ステップと、
前記順番待ち予約ごとに順番待ちの待ち時間を設定する設定ステップと、を備え、
前記設定ステップにおいて、前記第一の予約情報及び第二以降の予約情報を含む予約情報の組において、最後の順番待ち予約に対応した予約情報の待ち時間に基づいて、前記組に含まれる予約情報の待ち時間を設定することを特徴とする。
【００１７】
本発明は、施設における順番待ちを管理する為の順番管理プログラムであって、
コンピュータを、順番待ち予約の受付に際し、ユーザから予約情報を登録する為の予約入力を受け付け、前記予約入力に基づいて予約情報を登録する受付手段と、
前記ユーザの入力に基づいて、第一の予約入力の受け付け又は第一の予約情報の登録後に連続して、第二以降の予約情報を登録する為の第二以降の予約入力を受け付ける連続受付を前記受付手段に行わせる連続受付手段と、
前記順番待ち予約ごとに順番待ちの待ち時間を設定する算出手段と、として機能させ、
前記算出手段は、前記第一の予約情報及び第二以降の予約情報を含む予約情報の組において、最後の順番待ち予約に対応した予約情報の待ち時間に基づいて、前記組に含まれる予約情報の待ち時間を設定することを特徴とする。
【発明の効果】
【００１８】
本発明によれば、複数に分かれた予約を好適に管理するための順番管理システムを提供することができる。
【図面の簡単な説明】
【００１９】
【図１】本発明の実施形態に係る順番管理システムの機能ブロック図である。
【図２】本発明の実施形態に係る順番管理サーバのハードウェア構成図である。
【図３】本発明の実施形態に係る予約情報の一例を示す図である。
【図４】本発明の実施形態に係る受付画面の画面表示例である。
【図５】本発明の実施形態に係る受付画面を介して予約を受け付ける際の処理フローチャートである。
【図６】本発明の実施形態に係る質問画面の画面表示例である。
【図７】本発明の実施形態に係る確認画面の画面表示例である。
【図８】本発明の実施形態に係る予約完了画面の画面表示例である。
【図９】本発明の実施形態に係る管理画面の画面表示例である。
【発明を実施するための形態】
【００２０】
以下、図面を用いて、本発明に関する順番管理システムについて説明する。なお、以下に示す実施形態は本発明の一例であり、本発明を以下の実施形態に限定するものではなく、様々な構成を採用することもできる。
【００２１】
例えば、本実施形態では順番管理システムの構成、動作等について説明するが、同様の構成の方法、サーバ装置、コンピュータプログラム、記録媒体等も、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２２】
本実施形態では、飲食店の利用に際して、ユーザ（顧客）からの予約受付を行う場合について例示する。なお、本発明は、飲食店、理容院・美容院、商業施設、病院、診療所（クリニック）、公共施設、ゲームセンターや体験型アトラクションを提供するアミューズメント施設等の種々の施設において、ユーザからの予約を受け付ける場合に利用することが可能であり、利用される施設やサービスの形態には、特に制限はない。
【００２３】
また、以下において、待ち時間とは、店舗に訪れたユーザが、サービスの提供を受けられる予定時間までの目安となる時間である。本実施形態では、例えば、待ち時間は、「１２０分」といった形でユーザに向けて提示される。本発明で算出される待ち時間は、必ずしもサービス提供までの残り時間の形でユーザに提示される必要はなく、例えば受付時間などに待ち時間を足し合わせた時間、即ち、サービスの提供を受けられる予定時間の形などで提示されても構わない。また、順番待ちを行う必要がない場合、即ち、待ち時間が「０分」の場合も、本例では０分の待ち時間があるものとして扱う。待ち時間は、先に順番待ちを行っている人数又はグループ数、サービスの提供を行う為のスタッフや座席、窓口等のサービス提供要素数、予め設定された１顧客（１グループ）当たりのサービス提供時間等に基づいて算出してもよい。
【００２４】
本実施形態において、順番待ち予約とは、ユーザが予め申し込みを行い、サービスの提供を予約するための処理を示す。順番待ち予約を行ったユーザは、サービスの提供の時刻又は順番の少なくとも一方について、目安となる回答を得る。本例では、ユーザが順番待ち予約を行うことで順番待ちに参加し、順番が回ってきた際に、サービスの提供を受ける形式を示す。順番待ち予約は、ユーザが順番の最後尾に並び、順番が回ってきた際に、サービスの提供を受ける形式及び、ユーザが当日又は翌日以降の未来の予約日時の指定を伴って順番に参加し、ユーザが指定した日時に、行列の先頭等の所定の順番にユーザが並ぶように順番を調整し、順番が回ってきた際に、サービスの提供を受ける順番待ちの時間指定予約の形式を含む。また、どちらか一方の順番待ち予約の形式のみで行われてもよいし、順番待ち予約の形式に加えて、ユーザから、当日又は翌日以降の未来の予約日時の指定を伴って行われ、指定した時間にサービスの提供を受ける時間指定予約の形式で行われてもよい。
【００２５】
ユーザが順番の最後尾に並び順番待ちに参加する場合、予約完了後、ユーザに割り当てられた番号（案内番号）が提示される。順番待ちの時間指定予約の場合には、ユーザが指定した日時が予約時間となる。ユーザは、この番号もしくは予約時間（予約日時）に基づいて、店舗に赴き、サービスの提供を受ける。順番の最後尾に並ぶ通常の順番待ち予約の形式で順番待ちに参加する場合、ユーザに割り当てられた番号に替えて、又は加えて、待ち時間やサービスの提供を受けられる予定時間をユーザに提示する構成としてもよい。
【００２６】
店舗に赴いたユーザは、自身の順番が回ってきた際に、店舗のスタッフ（従業員）や機械音声によって呼び出される。そして、その後、スタッフに案内されて座席やカウンターに移動して、現実のサービス提供を受ける。順番待ちの時間指定予約の形式で順番待ちに参加する場合には、予約時間（予約日時）の一定時間前等、所定のタイミングにて通常の順番待ちに参加し、指定した時間に順番の先頭に並ぶように必要に応じて順番を調整される。
【００２７】
本発明において予約入力とは、予約情報を登録する為の入力を指し、連続受付とは、複数の予約情報を登録する為の複数の予約入力を連続して受け付けることを指す。本実施形態においては、予約入力は複数の質問に対する回答を含む。また、連続受付によって連続して入力された複数の予約入力に対応する複数の予約情報は、予約情報の組として一括して管理される。
【００２８】
また、本発明において共通質問とは、連続受付の際に省略される質問項目を指す。同一のユーザによる予約であれば回答が共通するような質問項目を、共通質問として設定することができる。例えば、代表者の電話番号などが共通質問として設定できる。なお、本実施形態においては、質問項目ごとに共通質問にするか否かを設定できる。
【００２９】
図１は、本発明の実施形態における順番管理システムの概要を示す機能ブロック図である。順番管理システム１は、順番管理サーバ２と、予約に関する情報を記憶したデータベースＤＢと、飲食店の店舗に設置され、予約の受付に利用される受付端末２０と、受付端末２０からの要求に基づいて、受付端末２０で予約を行ったユーザに対して順番待ちの案内番号や待ち時間を印字した印刷物を提供する為のプリンタ３０と、ユーザが操作するユーザ端末４０と、店舗のスタッフが操作する店舗端末５０と、を備えている。
【００３０】
順番管理サーバ２並びに受付端末２０、ユーザ端末４０及び店舗端末５０は、ネットワークＮＷを介して通信可能に構成されている。受付端末２０及びプリンタ３０は、有線又は無線によって、通信可能に構成されている。
【００３１】
図２は順番管理サーバ２のハードウェア構成を示す図である。順番管理サーバ２は、演算装置（ＣＰＵ２０１）と、主記憶装置（ＲＡＭ２０２）と、ＨＤＤやＳＳＤ、フラッシュメモリなどの補助記憶装置（記憶装置２０３）と、外部の装置とネットワークＮＷを介して通信を行うためのインターフェースである通信装置２０４と、入力装置２０５と、出力装置２０６と、を備えている。また、記憶装置２０３は、オペレーティングシステム２０７と、オペレーティングシステム２０７と協調してその機能を発揮する順番管理プログラム２０８等が記録されている。
【００３２】
受付端末２０、ユーザ端末４０、店舗端末５０は、ＣＰＵ等の演算装置、ＲＡＭ等の主記憶装置、ＨＤＤやＳＳＤ、フラッシュメモリ等の補助記憶装置、ネットワークＮＷへの接続手段を含む各種の入出力装置等を備えた、パーソナルコンピュータ、スマートフォン、タブレット端末等の汎用的なコンピュータ装置を用いることができる。受付端末２０は表示部を兼ねた入力部２１（タッチパネル）を備え、ユーザ端末４０は入力部４１と表示部（図示せず）を備え、店舗端末５０は入力部５１と表示部（図示せず）を備えている。
【００３３】
受付端末２０は、予約用のウェブページを利用する為のウェブブラウザアプリケーションを記憶している。受付端末２０は、ウェブブラウザアプリケーションに替えて、又は加えて、店舗の予約を行う為の予約アプリケーションを記憶していても構わない。
【００３４】
プリンタ３０は、受付端末２０と有線又は無線によって接続されており、受付端末２０からの印刷要求に基づいて、発券部３１での紙面への印刷を行う。
【００３５】
ユーザ端末４０は、予約用のウェブページを利用する為のウェブブラウザアプリケーションを記憶している。ユーザ端末４０は、ウェブブラウザアプリケーションに替えて、又は加えて、店舗の予約を行う為の予約アプリケーションを記憶していても構わない。
【００３６】
ユーザは、受付端末２０やユーザ端末４０を介して、予約情報の登録や変更等を行う。予約情報の変更とは、例えば、ユーザによる予約の自発的なキャンセル（取り消し）を含む。ユーザは、ある端末（例えば、受付端末２０やユーザ端末４０）を介して登録された予約情報に対して、予約を行った端末とは異なる別の端末を介して、予約情報の変更等が可能であってもよい。
【００３７】
店舗端末５０は、管理用のウェブページを利用する為のウェブブラウザアプリケーションを記憶している。店舗端末５０は、ウェブブラウザアプリケーションに替えて、又は加えて、店舗の管理を行う為の管理アプリケーションを記憶していても構わない。
【００３８】
スタッフは、店舗端末５０を介して、予約の確認や管理、予約情報の登録、変更等を行う。予約情報の変更とは、例えば、スタッフによる予約のキャンセル（取り消し）を含む。スタッフは、受付端末２０や店舗端末５０を操作して、ユーザの代わりに予約に関する情報の入力を行ってもよい。
【００３９】
本実施形態では、順番待ち予約として、受付端末２０からは、通常の順番待ち予約を受けつけ、ユーザ端末４０からは、通常の順番待ち予約及び順番待ちの時間指定予約にて、順番待ち予約を受け付ける。なお、ユーザ端末４０に替えて、または加えて、受付端末２０や店舗端末５０の少なくとも一方から、順番待ちの時間指定予約を受け付ける構成としてもかまわない。
【００４０】
ユーザ端末４０を介した事前の予約なしに店頭に来訪したユーザは、すでに順番待ちを行っているユーザの有無にかかわらず、受付端末２０で通常の順番待ち予約の受け付けを行い（通常の順番待ち予約）、サービス提供を受ける。あるいは、店頭における受付端末２０を介した受け付けは、ユーザに代わって、スタッフが行っても構わない。
【００４１】
順番管理システム１は、受付端末２０、プリンタ３０、ユーザ端末４０及び店舗端末５０を、それぞれ、１又は複数台備えている。また、受付端末２０、プリンタ３０及び店舗端末５０は、必ずしも店舗ごとに１台である必要はなく、１店舗に対して、複数台が利用されてもよい。また、受付端末２０から管理用のウェブページを利用可能にする等して、受付端末２０が店舗端末５０を兼ねるような構成としてもよい。
【００４２】
順番管理サーバ２は、受付手段３と、連続受付手段４と、算出手段５と、変更手段６と、連続上限設定手段７と、表示手段８と、を備えている。ここで、本実施形態において順番管理サーバ２に含まれる機能構成を実現する為の各処理手段は、必ずしも１台のサーバ装置に含まれる必要はなく、複数のコンピュータに備えられた構成であってもよい。例えば、受付手段３、連続受付手段４、算出手段５、変更手段６、連続上限設定手段７を備え、ユーザ端末４０等から受け付けた予約の登録や変更、予約画面の設定等を行う為のサーバ装置と、表示手段８を備え、受付端末２０やユーザ端末４０、店舗端末５０からの表示要求に応じて、所定の画面を表示処理するサーバ装置と、によって順番管理サーバ２が構成されてもよい。
【００４３】
データベースＤＢは、順番管理システム１で利用される情報を記憶している。本実施形態では、データベースＤＢは、予約情報と、質問内容と、その他、ユーザ情報や店舗情報等を有している。
【００４４】
図３は、本実施形態における予約情報の一例を示す図である。図示例に示すように、予約情報のレコードは、予約の受付ＩＤと、後述する連続受付によって登録された予約情報の組を示す組情報（グループ）と、予約を行ったユーザのユーザＩＤと、予約された店舗の店舗ＩＤと、予約を受け付けた日時を示す受付日時と、順番待ちの時間指定予約の場合に予約された日時（受付日時に対して、当日又は翌日以降の未来の日時）を示す予約日時と、予約の人数と、予約された席の種別（「テーブル」、「カウンター」等）を示す席種と、電話番号と、予約ステータス（「案内前」、「案内済」、「不在」、「キャンセル」）を示す予約状況と、店舗にてユーザの呼出等に利用される案内番号と、を有する。この他には、予約された商品内容・サービス内容等を有していてもよい。ここに示すように、本実施形態においては、同一の組を構成する予約情報に対して同一の案内番号が付与され、予約情報として登録される。
【００４５】
受付手段３は、ユーザからの予約に関する予約入力を受け付け、予約情報としてデータベースＤＢに記憶する。本実施形態では、後述するように、受付端末に表示された質問画面を介してユーザによる入力を受け付け、入力された情報を用いて予約情報を記録する。予約は、本例のように、店舗に設置された受付端末２０やユーザ端末４０を介して行われてもよいし、その他、ＩＶＲ（Ｉｎｔｅｒａｃｔｉｖｅ  Ｖｏｉｃｅ  Ｒｅｓｐｏｎｓｅ）システムを経由した電話受付や、ＡＰＩ（Ａｐｐｌｉｃａｔｉｏｎ  Ｐｒｏｇｒａｍｍｉｎｇ  Ｉｎｔｅｒｆａｃｅ）を経由した外部サービス等、種々の経路より行われてよい。
【００４６】
本実施形態では、受付手段３は、１又は複数の質問に対する回答やユーザの要望に関する予約入力を受け付ける。例えば、質問画面を介して、予約の人数や、電話番号、店舗での呼出時の呼称、アンケート、等に関する質問が行われ、ユーザによって回答が入力される。
【００４７】
連続受付手段４は、ユーザの入力に基づいて、受付手段３に連続受付を行わせる。本発明において連続受付とは、受付手段３による第一の予約入力の受け付け又は第一の予約情報の登録の後、連続して第二以降の予約情報を登録する為の第二以降の予約入力を受け付けることを指す。連続受付によって受け付けられた、第一の予約入力及び第二以降の予約入力を用いて、第一の予約情報及び第二の予約情報を含む予約情報の組がデータベースＤＢに登録される。
【００４８】
例えば、美容院において親子二人で連続して予約を行う場合、ユーザは、親の予約に関する情報を入力（第一の予約入力）し、連続受付の希望を入力する。連続受付手段４はこれを受け付け、受付手段３に連続受付を行わせる。ユーザが連続受付によって子の予約に関する情報を入力（第二の予約入力）すると、受付手段３は、予約入力に基づいて、親の予約に関する第一の予約情報及び子の予約に関する第二の予約情報を組として登録する。
【００４９】
算出手段５は、待ち時間を算出して予約情報ごとに設定する。連続受付によって組として登録された予約情報については、その組に含まれる予約情報において、最後の順番待ち予約に対応した予約情報の待ち時間に基づいて、他の予約情報についての待ち時間を設定する。
【００５０】
具体的には、例えば、予約情報ごとに待ち時間を算出し、最も長い待ち時間が算出された予約情報の待ち時間に基づいて、同じ組に含まれる他の予約情報の待ち時間を設定する方法がある。その他には、組の一つ前の予約情報の待ち時間に、組に含まれる予約情報の数に基づいて算出した待ち時間を加算した時間を、当該組に含まれる予約情報の待ち時間として設定してもよい。この他、任意の方法を用いて、予約情報の組の中で最後の順番待ち予約に対応した予約情報の待ち時間に基づいた待ち時間を設定してよい。設定された待ち時間は、表示手段８による表示処理に用いられる。待ち時間は、例えば、順番待ちをしている組数やユーザが所望するサービス内容を提供可能な提供要素（座席）数、サービス内容ごとにかかる提供時間、等を用いて算出して構わない。
【００５１】
変更手段６は、登録された予約情報についての変更を受け付け、変更内容をデータベースＤＢに記憶する。本発明において、変更手段６を介した予約情報に対する変更の一部又は全部は、連続受付によって当該予約情報と同一の組として登録された他の予約情報のそれぞれに反映される。予約情報の変更とは、例えば、ユーザ端末４０や店舗端末５０から行われるキャンセル（取り消し）、ステータスの変更、予約情報についての既読・未読の設定、予約日時や人数等の予約内容の変更、等である。
【００５２】
本実施形態においては、予約情報に対する一部の変更が、当該予約情報と同一の組として登録された他の予約情報のそれぞれに反映される構成を示す。例えば、本実施形態においては、共通質問に対する入力に関する予約情報の変更は、同一の組の予約情報のそれぞれに反映され、その他の質問に関する変更は、他の予約情報に反映されない。ただし本発明はこれに限るものではなく、予約情報に対する全ての変更が他の予約情報に反映される構成としてもよい。
【００５３】
連続上限設定手段７は、連続受付によって連続して受け付けられる順番待ち予約の数の上限として連続上限を設定する。例えば、連続上限を３として設定した場合、受付手段３は、連続して最大で３つまで順番待ち予約を受け付ける。この時、連続受付手段４は、第二の予約入力の受け付け又は第二の予約情報の登録後に連続して、ユーザの入力に応じて第三の予約入力の受け付けを受付手段３に行わせるが、第三の予約入力の受け付け後には、連続受付を行わない。
【００５４】
本実施形態においては、連続上限設定手段７は、店舗の利用情報に基づいて、連続上限を設定する。具体的には、データベースＤＢが店舗の座席数や案内状況等の利用情報を記憶し、空席の数や位置に基づいて、連続上限を設定する。ただし、本発明はこれに限るものではなく、店舗端末５０を介した入力や、あらかじめ設定された数によって連続上限が設定されてもよい。
【００５５】
表示手段８は、予約の受付・管理等に際して、受付画面や管理画面等を表示する為に、画面を表示処理し、表示処理結果を送信する。本例では、店舗端末５０において予約の確認のために表示される管理画面を表示する為に、表示手段８は、管理画面を表示処理し、表示処理結果を店舗端末５０に送信する。また、受付端末２０やユーザ端末４０に、受付画面を表示する為に、表示手段８は、受付画面を表示処理し、表示処理結果を受付端末２０やユーザ端末４０に送信する。
【００５６】
図４〜７を用いて、本実施形態における順番待ち予約の受付の流れを説明する。図４は、受付端末２０における受付画面の画面表示例である。本実施形態における受付端末２０は、店舗に赴いたユーザからの順番待ち予約の受付や、予約を行ったユーザの順番確認等に際して利用される。
【００５７】
受付画面Ｗ１は、受付ボタンＷ１１と、一覧表示部Ｗ１２と、総組数表示部Ｗ１３と、待ち時間表示部Ｗ１４と、を備えている。
【００５８】
一覧表示部Ｗ１２には、個々のユーザの案内番号や待ち時間、人数（図示例における「ご来店人数」）、等が表示されている。総組数表示部Ｗ１３には、順番待ちを行っているユーザの総組数が表示され、待ち時間表示部Ｗ１４には、これから順番待ちを行うユーザに対する待ち時間が表示されている。なお、待ち組数・待ち時間の一方または双方は、受付端末２０やユーザ端末４０で予約を行う際の受付画面において、必ずしも表示される必要はない。本実施形態では、待ち組数・待ち時間は別途設定で表示・非表示を行うことができる。
【００５９】
ユーザが受付ボタンＷ１１を押下すると、受付手段３は、順番待ち予約の受付処理を開始する。図５は、順番管理サーバ２が順番待ち予約の受付を行う際の処理フローチャートである。ステップＳ１においては、表示手段８が表示処理を行い、受付端末２０に質問画面が表示される。図６は、受付端末２０における質問画面の画面表示例である。質問画面Ｗ２は、注意書きテキストＷ２１と、回答入力部Ｗ２２と、進行表示部Ｗ２３と、キャンセルボタンＷ２４と、を備えている。
【００６０】
ここで、図６（ａ）は受付手段３が第一の予約入力を受け付ける際の質問画面の画面表示例であり、図６（ｂ）は受付手段３が第二以降の予約入力を受け付ける際の質問画面の画面表示例である。ここに示すように、本実施形態においては、第一の予約入力を受け付ける際には、席種、人数、携帯電話番号（代表者の連絡先）の３つの質問項目があるのに対し、第二以降の予約入力を受け付ける際には、人数の質問項目のみユーザによる入力を受け付ける。
【００６１】
本実施形態においては、このように、第二以降の予約入力を連続受付によって受け付ける際には、共通質問（図６（ａ）における「席種」及び「携帯電話番号」に関する質問）に対する入力の受け付けが省略される。この時、共通質問に対する回答は、第一の予約入力と当該予約入力の間の予約入力のうちの何れかにおける、共通質問に対する回答に基づいて設定され、受付手段３が予約情報を登録する。また、共通質問は、例えば、第二以降の予約入力の際にのみ受け付けられる共通質問を含んでいてもよい。なお、本実施形態においては、各質問項目について、共通質問として設定するか否かを個別に決定することができる。
【００６２】
ステップＳ１において全ての質問に対する入力が完了すると、ステップＳ２において連続受付の回数と連続上限を比較し、連続受付の回数が連続上限に満たない場合には、連続受付ボタンを含む確認画面Ａを表示する（ステップＳ３）。ステップＳ２において連続受付回数が連続上限に達した場合には、連続受付ボタンを含まない確認画面Ｂを表示する（ステップＳ４）。
【００６３】
図７（ａ）は確認画面Ａの画面表示例を、図７（ｂ）は確認画面Ｂの画面表示例をそれぞれ示す。ここに示すように、確認画面Ａは、回答表示部Ｗ３１と、登録ボタンＷ３２（図示例における「発券する」）と、連続受付ボタンＷ３３（図示例における「続けて受付」）と、進行表示部Ｗ３４と、キャンセルボタンＷ３５（図示例における「やめる」）と、を備えている。確認画面Ｂは、連続受付ボタンＷ３３以外の確認画面Ａと同様の構成要素を備えている。
【００６４】
ユーザは、回答表示部Ｗ３１を介して、これまで質問画面Ｗ２を介して入力した回答を確認し、連続受付を希望する場合には連続受付ボタンＷ３３を押下する。キャンセルボタンＷ３５を選択すると、予約受付のキャンセルを行うことができる。
【００６５】
連続受付ボタンＷ３３が押下されると（ステップＳ５でＹｅｓ）、一時的に予約入力を保存してステップＳ１に戻り、受付手段３が連続受付を行う。ステップＳ６においては、登録ボタンＷ３２の押下を受け付ける。登録ボタンＷ３２が押下されると、ステップＳ１で受け付けた予約入力に基づいて予約情報を登録し（ステップＳ７）、処理を終了する。この際、受付手段３は、連続受付によって受け付けられた複数の予約を組として予約情報を登録し、同一の組に含まれる予約については同一の案内番号を付与する。
【００６６】
なお、本実施形態においては、連続受付の場合にはステップＳ５において一時的に予約入力を保存し、登録ボタンＷ３２が押下された際に複数の予約入力に基づいて複数の予約情報を登録する構成を示す。この他、連続受付ボタンＷ３３が押下された際に直前の予約入力に基づいて予約情報を登録してから連続受付を行い、次の予約入力を受け付ける構成としてもよい。
【００６７】
図８は、予約完了画面の画面表示例である。順番待ち予約の受付が終了すると、表示手段８による予約完了画面（図示せず）の表示処理が行われ、また、プリンタ３０の発券部３１から、順番待ちの案内番号や待ち時間（サービス提供の予定時間）を印字した印刷物が発券される。本実施形態では、連続受付の数にかかわらず、受付端末からプリンタに１枚の印刷物を発券する指示が送られて、プリンタは印刷物を発券する。なお、印刷物は連続受付の数（連続して受け付けられた予約入力の数）だけ発券してもよい。この場合、連続受付ボタンＷ３３が押下されるごとに発券してもよいし、登録ボタンＷ３２が押下された際にまとめて複数枚発券してもよい。
【００６８】
また、１つの予約入力に対して印刷物を複数枚発券してもよい。例えば、１つの予約入力につき印刷物を２枚発券し、１枚を店舗の控えとして、もう１枚をユーザが保有することができる。このようにすることで、店舗のスタッフは印刷物によって案内番号を確認することができ、スムーズに案内を行うことが可能になる。特に、受付端末２０が店舗端末５０を兼ねる構成とした場合等には、店舗のスタッフが端末操作を行い、ユーザに対して発券された印刷物を引き換えチケットのように運用し、番号を確認するなどの対応が可能になる。この時、店舗のスタッフに対して発券される印刷物と、ユーザに対して発券される印刷物と、で表示する内容を変えてもよい。
【００６９】
図９は、店舗端末５０における管理画面Ｗ４の画面表示例である。管理画面Ｗ４には、各予約情報の案内番号を表示する案内番号表示部Ｗ４１や、予約情報の組を構成する予約情報を区別するための組情報を表示する組表示部Ｗ４２、変更手段６による予約情報のステータスを変更（「案内」「不在」「確認」）する為の変更ボタンＷ４３等が表示されている。ここに示すように、本実施形態においては、予約情報の組に対して組番号を付与し、組表示部Ｗ４２において組番号を表示する。
【００７０】
なお、本実施形態では、図５のステップＳ１において予約入力を受け付ける際に、その都度予約入力ごとの人数をユーザに入力させる構成を示したが、他の方法で予約入力ごとの人数の配分の指定を受け付ける構成としてもよい。例えば、第一の予約入力の受付を開始する際に人数の配分の指定を受け付ける構成としてもよい。この場合には、更に指定された配分を連続上限と比較して、受付の可否を判定してもよい。
【００７１】
この他、連続受付でない通常の受付を開始する際に合計人数を入力させ、連続上限を超える数に分ける必要がある場合には受付手段３が予約入力を受け付けない構成としてもよい。このような構成とすることで、ユーザは最初に受付の可否を判断でき、利便性が向上する。
【００７２】
本発明によれば、同一の団体の予約が複数に分かれる場合に、同じ待ち時間をユーザに提示することができる。また、ユーザが複数の予約を行う際に、共通する内容について予約ごとに入力を行う必要がなくなり、利便性が向上する。
【符号の説明】
【００７３】
１  順番管理システム
２  順番管理サーバ
２０１  ＣＰＵ
２０２  ＲＡＭ
２０３  記憶装置
２０４  通信装置
２０５  入力装置
２０６  出力装置
２０７  オペレーティングシステム
２０８  順番管理プログラム
３  受付手段
４  連続受付手段
５  算出手段
６  変更手段
７  連続上限設定手段
８  表示手段
２０  受付端末
２１  入力部
３０  プリンタ
３１  発券部
４０  ユーザ端末
４１  入力部
５０  店舗端末
５１  入力部
ＤＢ  データベース
ＮＷ  ネットワーク
Ｗ１  受付画面
Ｗ１１  受付ボタン
Ｗ１２  一覧表示部
Ｗ１３  総組数表示部
Ｗ１４  待ち時間表示部
Ｗ２  質問画面
Ｗ２１  注意書きテキスト
Ｗ２２  回答入力部
Ｗ２３  進行表示部
Ｗ２４  キャンセルボタン
Ｗ３１  回答表示部
Ｗ３２  登録ボタン
Ｗ３３  連続受付ボタン
Ｗ３４  進行表示部
Ｗ３５  キャンセルボタン
Ｗ４  管理画面
Ｗ４１  案内番号表示部
Ｗ４２  組表示部
Ｗ４３  変更ボタン
【図１】
2019114207.tif 000003
【図２】
2019114207.tif 000004
【図３】
2019114207.tif 000005
【図４】
2019114207.tif 000006
【図５】
2019114207.tif 000007
【図６】
2019114207.tif 000008
【図７】
2019114207.tif 000009
【図８】
2019114207.tif 000010
【図９】
2019114207.tif 000011
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
施設における順番待ちにおいて、同一団体に属する人が、複数の組に分かれ、前記組単位で行われた複数の予約を一括して管理する為の順番管理システムであって、
順番待ち予約の受付に際し、ユーザから予約情報を登録する為の予約入力を受け付け、前記予約入力に基づいて予約情報を登録する受付手段と、
前記ユーザの入力に基づいて、第一の予約入力の受け付け又は第一の予約情報の登録後に連続して、第二以降の予約情報を登録する為の第二以降の予約入力を受け付ける連続受付を前記受付手段に行わせる連続受付手段と、
前記順番待ち予約ごとに順番待ちの待ち時間を設定する算出手段と、を備え、
前記算出手段は、前記第一の予約情報及び第二以降の予約情報を含む予約情報の組の待ち時間を一括して案内する為に、前記予約情報の組の中で順番が最後の順番待ち予約に対応した予約情報の待ち時間に基づいて、前記予約情報の組に含まれる他の予約情報の待ち時間を設定することを特徴とする、順番管理システム。
【請求項２】
前記連続受付手段は、前記連続受付の開始及び前記連続受付の終了を指示する入力を受け付け、これに基づいて前記受付手段に前記連続受付を行わせることを特徴とする、請求項１に記載の順番管理システム。
【請求項３】
前記受付手段は、前記予約入力として、共通質問を含む１又は複数の質問に対する回答を受け付け、
前記第二以降の予約入力における前記共通質問に対する回答は、前記第一の予約入力と当該予約入力との間の予約入力のうちの何れかにおける、前記共通質問に対する回答に基づいて設定されることを特徴とする、請求項１又は請求項２に記載の順番管理システム。
【請求項４】
前記受付手段は、前記第一の予約入力の際に、前記予約入力ごとの人数の配分の指定を受け付けることを特徴とする、請求項１〜３の何れかに記載の順番管理システム。
【請求項５】
前記受付手段は、前記連続受付を行う場合、前記第一の予約入力及び第二以降の予約入力の際に、その都度予約入力ごとの人数を受け付けることで、前記予約入力ごとの人数の配分の指定を受け付けることを特徴とする、請求項１〜３の何れかに記載の順番管理システム。
【請求項６】
前記予約情報を管理する変更手段を更に備え、
前記予約情報の組に含まれる予約情報の何れかに対する前記変更手段を介した操作の一部又は全部は、前記予約情報の組に含まれる予約情報のそれぞれに反映されることを特徴とする、請求項１〜５の何れかに記載の順番管理システム。
【請求項７】
前記連続受付によって連続して受け付けられる順番待ち予約の数の上限として連続上限を設定する連続上限設定手段を更に備えることを特徴とする、請求項１〜６の何れかに記載の順番管理システム。
【請求項８】
前記連続上限設定手段は、前記施設の利用情報に基づいて、前記連続上限を設定することを特徴とする、請求項７に記載の順番管理システム。
【請求項９】
前記予約情報は、前記ユーザの案内を行うための案内番号を含み、
前記受付手段は、同一の前記予約情報の組に含まれる予約情報に対し、同一の案内番号を付与することを特徴とする、請求項１〜８の何れかに記載の順番管理システム。
【請求項１０】
施設における順番待ちにおいて、同一団体に属する人が、複数の組に分かれ、前記組単位で行われた複数の予約を一括して管理する為の予約方法であって、
順番待ち予約の受付に際し、ユーザから予約情報を登録する為の予約入力を受け付け、前記予約入力に基づいて予約情報を登録する受付ステップと、
前記ユーザの入力に基づいて、第一の予約入力の受け付け又は第一の予約情報の登録後に連続して、第二以降の予約情報を登録する為の第二以降の予約入力を受け付ける連続受付を行う連続受付ステップと、
前記順番待ち予約ごとに順番待ちの待ち時間を設定する設定ステップと、をコンピュータが実行し、
前記設定ステップにおいて、前記第一の予約情報及び第二以降の予約情報を含む予約情報の組の待ち時間を一括して案内する為に、前記予約情報の組の中で順番が最後の順番待ち予約に対応した予約情報の待ち時間に基づいて、前記予約情報の組に含まれる他の予約情報の待ち時間を設定することを特徴とする、予約方法。
【請求項１１】
施設における順番待ちにおいて、同一団体に属する人が、複数の組に分かれ、前記組単位で行われた複数の予約を一括して管理する為の順番管理プログラムであって、
コンピュータを、順番待ち予約の受付に際し、ユーザから予約情報を登録する為の予約入力を受け付け、前記予約入力に基づいて予約情報を登録する受付手段と、
前記ユーザの入力に基づいて、第一の予約入力の受け付け又は第一の予約情報の登録後に連続して、第二以降の予約情報を登録する為の第二以降の予約入力を受け付ける連続受付を前記受付手段に行わせる連続受付手段と、
前記順番待ち予約ごとに順番待ちの待ち時間を設定する算出手段と、として機能させ、
前記算出手段は、前記第一の予約情報及び第二以降の予約情報を含む予約情報の組の待ち時間を一括して案内する為に、前記予約情報の組の中で順番が最後の順番待ち予約に対応した予約情報の待ち時間に基づいて、前記予約情報の組に含まれる他の予約情報の待ち時間を設定することを特徴とする、順番管理プログラム。